(57)【要約】フットウェア物品（１０）は、アッパー（１２）、および、アッパー（１２）に固定されたソール組立体（１４）を含む。ソール組立体（１４）は、上部（３４）プレートと下部（３６）プレートをソール組立体（１４）の前足部分に有し、複数の下部プレートアームは、上部プレート（３４）から下方へ曲がっている。2016512134.tif 000003
2016512134.tif 000002
【特許請求の範囲】
【請求項１】
アッパー；
アッパーの下に配置されるアウトソール；および
アッパーとアウトソールの間に配置されており、かつ、上から見た場合に曲がっている前後軸を有する背骨と、背骨から外向き且つ上方に延びている複数の上部アームと、背骨から外向き且つ下方に延びている複数の下部アームとを含む、プレート
を組み合わせて含む、フットウェア物品。
【請求項２】
上から見た場合に、背骨の前後軸が複合曲線形状を有する、請求項１記載のフットウェア物品。
【請求項３】
プレートの外側の少なくとも１つの上部アームが、プレートの内側の対応する下部アームと横方向に対向している、請求項１記載のフットウェア物品。
【請求項４】
プレートの内側の少なくとも１つの上部アームが、プレートの外側の対応する下部アームと横方向に対向している、請求項１記載のフットウェア物品。
【請求項５】
プレートが、フットウェア物品の実質的に全長にわたって延びている、請求項１記載のフットウェア物品。
【請求項７】
プレートの外側および内側に沿って、上部アームおよび下部アームが互いに交互になっている、請求項１記載のフットウェア物品。
【請求項８】
プレートがガラス入りナイロンから形成されている、請求項１記載のフットウェア物品。
【請求項９】
アッパー；
アッパーの下に配置されるアウトソール；および
アッパーとアウトソールの間に配置され、かつ、上から見た場合に複合曲線形状を有する前後軸を有する背骨と、背骨から外向き且つ上方に延びている複数の上部アームと、背骨から外向き且つ下方に延びている複数の下部アームとを含む、プレート
を組み合わせて含み、
上部アームおよび下部アームが、プレートの外側および内側に沿って交互に配置されている、フットウェア物品。
【請求項１０】
プレートの外側の少なくとも１つの上部アームが、プレートの内側の対応する下部アームと横方向に対向している、請求項９記載のフットウェア物品。
【請求項１１】
プレートの内側の少なくとも１つの上部アームが、プレートの外側の対応する下部アームと横方向に対向している、請求項９記載のフットウェア物品。
【請求項１２】
プレートが、フットウェア物品の実質的に全長にわたって延びている、請求項９記載のフットウェア物品。
【請求項１３】
プレートがガラス入りナイロンから形成されている、請求項１記載のフットウェア物品。
【発明の詳細な説明】
【技術分野】
【０００１】
関連出願の相互参照
本出願は、各々が参照により本明細書に組み入れられる、2012年4月10日に発行された米国特許第8,151,485号の継続出願である、2012年3月7日に出願された特許出願第13/413,800号の一部継続出願である、2013年3月15日に出願された米国特許非仮出願第13/834,159号について優先権主張するものである。
【０００２】
発明の分野
本発明は、概してフットウェア物品に関し、特に、前足部プレート付のフットウェア物品に関する。
【背景技術】
【０００３】
発明の背景
従来の運動用フットウェア物品は、アッパーおよびソール構造という2つの基本要素を含む。アッパーは、ソール構造に対して足を快適に受け入れ、且つ安全に固定する足の覆いを提供する。さらに、アッパーは、足を保護し且つ通風を提供する形状を有し得、それにより足を冷却し、そして汗を除去する。ソール構造はアッパーの下部分に固定され、一般的に、足と地面との間に配置される。床反力を減衰するのに加えて、ソール構造は、例えば、静止摩擦を提供し、足の動きを制御し（例えば、回内運動に抵抗することにより）、そして安定性を付与し得る。従って、アッパーおよびソール構造は、ウォーキングおよびランニング等の幅広い活動に適した快適な構造を提供するように協同的に働く。
【０００４】
ソール構造は、一般的に、インソール、ミッドソール、およびアウトソールと従来呼ばれる多数の層を組み込む。インソールは、フットウェアの快適さを増幅するための、アッパー内、且つ、足裏（即ち、下部）表面に隣接して配置される薄い、圧縮性部材である。アッパーの長手方向に沿ってアッパーに従来固定されるミッドソールは、ソール構造の中間層を形成し、床反力の減衰を担っている。アウトソールは、フットウェアの接地要素を形成しており、かつ摩擦を改善するためのテクスチャーを含む耐久性、耐摩耗材料から通常作製されている。
【０００５】
従来のミッドソールは、主に、フットウェアの全長にわたって延びている、ポリウレタンまたはエチルビニルアセテート等の弾力性のポリマーフォーム材料から形成される。ミッドソール中のポリマーフォーム材料の特性は、基本的に、ミッドソールの寸法形状、およびポリマーフォーム材料の密度を含む選択したポリマーフォームについて選択された材料の特定の性質を含む要因に依存する。これらの要因をミッドソールの全体にわたって変化させることによって、剛比および床反力減衰度合を、フットウェアが使用されることが意図される活動に特有の要求に合致するように変更することができる。ポリマーフォーム材料に加えて、従来のミッドソールは、例えば、１つまたは複数の流体充填ブラダおよびモデレーターを含んでもよい。
【０００６】
従来の既存のデバイスに内在する難点のいくつかまたは全てを減らすかまたは克服するフットウェア物品を提供することが望ましい。以下の本発明の開示およびある態様について詳細な記載を勘案すれば、当業者、即ち本技術分野の知識があるかまたは経験を積んだ者には、特定の目的および利点は明らかであろう。
【発明の概要】
【０００７】
概要
本発明の原理は、前足部プレート付のフットウェア物品の提供に有利であるよう用いることができる。第一の態様に関し、フットウェア物品は、アッパーおよびアッパーに固定されたソール組立体を含む。ソール組立体は、ソール組立体の前足部中に上部プレートおよび下部プレートを有し、かつ上部プレートから下方へ曲がる複数の下部プレートアームを有する。
【０００８】
別の態様に関し、フットウェア物品は、アッパーおよびアッパーに固定されたソール組立体を含む。ソール組立体は、上部プレート、ならびに、上部プレートの前足部の外側から下方に曲がる複数の下部プレートアームと、上部プレートの前足部の内側から下方且つ外向きに曲がる複数の下部プレートアームとを有する下部プレートを含む。
【０００９】
さらなる態様に関し、フットウェア物品は、アッパーおよびアッパーの下部表面に固定されたミッドソールを含み、ミッドソールの下部表面が上部プレートの上部表面に固定されている。ソール組立体は、ミッドソールの下部表面に固定され、かつ上部プレートおよび上部プレートとの単一構造である下部プレートを含む。下部プレートは、上部プレートの前足部の外側から下方へ曲がる複数の外側下部プレートアーム、および、上部プレートの前足部の内側から下方へ曲がる、複数の内側下部プレートアームを有する。複数のアウトソール部分の各々は、対応する下部プレートアームの下部表面に固定されている。
【００１０】
前足部プレート付のフットウェアを提供することにより実質的な利点が達成される。特に、ある態様では、曲がった状態に予め曲げられたフットウェアの下部プレートアームにおいてバネ様の動きを提供し、それによりフットウェア使用中に使用者が方向転換し、鋭く曲がるのを助け、それにより、使用者の推進力を改善する。下部プレートアームは、フットウェア使用中に遭遇するストレスを解消するのを助けるように曲げられている。
【００１１】
本明細書中に開示されるこれらおよび追加の特性および利点は、以下のある態様ついての詳細な開示からさらに理解されるであろう。
【図面の簡単な説明】
【００１２】
【図１】前足部プレート付のフットウェア物品の立面図である。
【図２】図１のフットウェア物品のアウトソールなしで示される底面図である。
【図３】図１のフットウェア物品の図１の線３−３に沿った部分断面図である。
【図４】図１のフットウェア物品の代替態様の部分断面図である。
【図５】図１のフットウェア物品の別の代替態様のアウトソールなしで示される底面図である。
【図６】図１のフットウェア物品の代替態様の部分断面図である。
【図７】図１のフットウェア物品のさらなる代替態様の透視図である。
【図８】図１のフットウェア物品のまたさらなる代替態様の透視図である。
【図９】図７のフットウェア物品のプレート組立体の態様の断面図である。
【図１０】図７のフットウェア物品のプレートの代替態様の平面図である。
【００１３】
上記の図面は必ずしも一定の比率に縮小して描かれておらず、関与する原理を例証する本発明の例を提供するものと理解されるべきである。図面に示す前足部プレート付のフットウェア物品の幾つかの特徴は、説明および理解を容易にするために、拡大されるか、または、他のものに対して歪められている。図面において、種々の代替態様中に示される同様のまたは同一の構成要素および特性について、同じ参照番号が使用されている。本明細書中に開示される前足部プレート付のフットウェア物品は、目的とする適用およびそれが使用される環境によって、一部、形状および構成要素が決定されているであろう。
【発明を実施するための形態】
【００１４】
ある好ましい態様の詳細な説明
以下の考察および添付の図面は、フットウェア物品のソール構造の種々の態様を開示する。当該ソール構造に関連するコンセプトは、例えば、バスケットボールというスポーツである運動活動に好適な形状を有するフットウェアに関して開示される。しかしながら、当該ソール構造は、例えば、テニスシューズ、フットボールシューズ、クロストレーニングシューズ、ウォーキングシューズ、サッカーシューズ、およびハイキングブーツを含む幅広い運動用フットウェアのスタイルに適用され得る。ソール構造はまた、礼装用の靴、ローファー、サンダル、およびワークブーツを含む非運動性と一般に考えられているフットウェアのスタイルにも適用され得る。従って、当業者は、本明細書中に開示されるコンセプトが、以下の材料で考察されかつ添付の図面に図示される特定のスタイルに加え、幅広いフットウェアのスタイルに適合することを認識するであろう。
【００１５】
図１および２において、フットウェア物品１０は、アッパー１２およびソール組立体１４を含むものとして図示される。参考として、フットウェア１０は、図１および２に示されるように、３つの一般的な部分に分けることができる：前足部分１６、中足部分１８、および踵部分２０。フットウェア１０はまた、外側２２および内側２４を含む。前足部分１６は一般に、爪先と、中足骨を指骨に連結する関節とに対応するフットウェア１０の部分を含む。中足部分１８は、一般に、土踏まずに対応するフットウェア１０の部分を含み、踵部分２０は、踵骨を含む足の後端部に対応する。外側２２および内側２４は、１６〜２０の各部分にわたって延びており、フットウェア１０の両側に対応する。部分１６〜２０および側面２２〜２４はフットウェア１０の正確な領域を確定することを意図したものではない。むしろ、部分１６〜２０および側面２２〜２４は、以下の考察を助けるよう、フットウェア１０の一般的な領域を表すことを意図したものである。フットウェア１０に加えて、部分１６〜２０および側面２２〜２４はまた、アッパー１２、ソール組立体１４、およびそれらの個々の要素にも適用され得る。
【００１６】
図面は、着用者の右足における使用を意図したフットウェア物品のみを図解している。当業者は左側のフットウェア物品が、右のものの鏡像であり、本発明の範囲に含まれることが意図されることを認識するであろう。
【００１７】
特に明記しない限り、または以下の文脈から明らかでない限り、後方へ、前方へ、内方へ、下方へ、上方へ等々の本明細書中の方向を示す用語は、フットウェア１０自身に関した方向について言及する。着用者により着用された場合には水平な表面上に置かれるので、フットウェア１０は、図１において、実質的に水平に配置されるよう示されている。しかしながら、フットウェア１０はそのような方向付けに限定される必要がないことが理解されるべきである。従って、図１に図示される態様中、後方へというのは踵部分２０へ向かう方、即ち、図１において右方向である。当然、前方へというのは前足部分１６へ向かう方、即ち、図１において左方向であり、そして下方へというのは、図１に示されるようにページの下部への方向である。内方へというのは、フットウェア10の中心へ、そして、外方へというのはフットウェア１０の外周端への方向である。
【００１８】
アッパー１２は、足を快適に受け入れ、かつソール組立体１４に対する足の位置を固定する内部空隙を形成する。アッパー１２の形状は、図示するように、ランニングを含む運動活動の間の使用に適している。従って、アッパー１２は、粘着結合されかつ縫い合わされた皮革、織物、ポリマー、およびフォーム要素の多数の層を含む軽量で通気性の構造を有し得る。例えば、アッパー１２は、摩耗に耐えるよう皮革要素、および、通気性を提供するように織物要素を含む外装を有し得る。アッパー１２の内部は、フットウェア１０の快適性を増幅するためにフォーム要素を有してよく、内部表面は、足を直接取り巻く領域から、過剰な湿気を除くための吸湿織物を含み得る。
【００１９】
ソール組立体１４は、接着剤またはその他のいずれの好適な固定手段により、アッパー１２に固定され得る。着用者の足と地面との間に通常配置されるソール組立体１４は、床反力の減衰（即ち、緩衝作用を付与し）、静止摩擦を提供し、かつ回内運動等の足の動きを制御し得る。従来のフットウェア物品では、ソール組立体１４は、アッパー１２内に位置づけられたインソール（示さず）、ミッドソール２６、およびアウトソール２８を含む。ミッドソール２６はアッパー１２に接着され、かつフットウェア１０の主要な衝撃減衰およびエネルギー吸収構成部分として機能する。アウトソール２８は、接着剤または他の好適な手段によりミッドソール２６の下部表面に接着されている。アウトソール２８に好適な材料は、伝統的なゴム材料を含む。アウトソール２８に好適な他の材料は、本開示の利点により当業者には容易に明らかとなるであろう。ある態様では、ソール組立体１４は、ミッドソール２６から分離したアウトソール層を含まず、むしろ、アウトソールは、ソール組立体１４の外部静止摩擦層を提供するミッドソール２６の底表面を含み得る。
【００２０】
アッパー１２は、足を確実且つ快適に受け入れるための内部空隙を形成するよう、一緒に縫い合わされたまたは粘着結合された複数の材料要素（例えば、織物、フォーム、皮革、および合成皮革）を組み込んだ、実質的に従来の形状を有するように図示される。材料要素は、例えば、耐久性、空気透過性、耐摩耗性、柔軟性、および快適性の特性を選択的に付与するように、アッパー１２に対して選択され、かつ位置付けられ得る。材料要素は、足を受け入れるための内部空隙を規定する構造を形成する。踵部分２０における足首開口部３０は、内部空隙へ入口を提供する。さらに、アッパー１２は、内部空隙の寸法を改変するための従来の方法で使用されるレース３２を含み得、それにより、内部空隙内における足を固定し、かつ内部空隙への挿入および内部空隙からの足の取り出しを容易にする。レース３２は、アッパー１２中の穴を通って延びていてもよく、かつアッパー１２の舌革部は、内部空隙とレース３２との間に延びていてもよい。本出願の種々の態様がソール組立体１４に主に関連することを勘案すれば、アッパー１２は、上で論じた形状、または実際に任意の他の従来のもしくは従来にないアッパーの一般的な形状を表し得る。従って、アッパー１２の構造は本発明の範囲内において著しく異なり得る。
【００２１】
ソール組立体１４は、ミッドソール２６の下部表面に固定された上部プレート３４を含む。下部プレート３６は、上部プレート３４から下方へ曲がる複数の下部プレートアーム３８を含む。図示される態様では、下部プレートアーム３８は、上部プレート３４から、上部プレート３４に関して実質的に凹状であるように下方且つ外方へ曲がる。
【００２２】
各下部プレートアーム３８は、下部プレート３６中に形成された溝４０によって隣接する下部プレートアーム３８から間隔をあけられている。図２において、下部プレート３６は、明確さを目的として示されていないアウトソール２８と共に示される。
【００２３】
ある態様では、下部プレート３６は、ソール組立体１４の前足部分１６の前面部分に配置された第一の外側下部プレートアーム３８Aを含む。第二の外側下部プレートアーム３８Bが、組立体14の前足部分１６の中央部分に配置されている。第三の外側下部プレートアーム３８Cが、ソール組立体１４の前足部分１６の後端部分に配置されている。
【００２４】
同様に、下部プレート３６は、ソール組立体１４の前足部分１６の前部分に配置された第一の内側下部プレートアーム３８Dを含む。第二の内側下部プレートアーム３８Eは、ソール組立体１４の前足部分１６の中央部分に配置されている。第三の内側下部プレートアーム３８Fは、ソール組立体１４の前足部分１６の後端部分に配置されている。
【００２５】
ある態様では、下部プレート３６および上部プレート３４は一体、即ち、ワンピース構造である。上部プレート３４および下部プレート部材３６は、ガラス入りナイロン、炭素入り材料、デュポン社により製造されるアラミド等のポリアミド、およびデュポン社により製造されるケブラー（登録商標）等のポリパラフェニレンテレフタルアミド、ポリエーテルブロックコポリアミド（ペンシルバニア州フィラデルフィアのATOFINA ChemicalsによりPebax（登録商標）として販売される）、ポリエーテルブロックコポリアミドの他の材料（ガラス入りナイロン、炭素入り材料、ポリアミド、またはポリパラフェニレンテレフタルアミド等）とのブレンド、熱可塑性ポリウレタン（TPU）、またはその他の材料を含む任意の数の材料から形成されていてもよい。このような材料は、有利には、耐切創性であり、ソール組立体１４に良い寸法安定性を提供する。
【００２６】
アウトソール２８は、図１に示されるように、各々が対応する下部プレートアーム３６A〜Fの下部表面に固定された多数のアウトソール部分２８Aにより形成されていてもよい。
【００２７】
図示した態様では、ソール組立体１４の踵部分２０は、継手３９によって下部サポート３７に連結された上部サポート３５を含む旋回要素３３を含む。継手３９は、下部サポート３７に対して上部サポート３５が旋回することを可能にする。踵部分２０が、他の態様において、より慣用の形状を有してもよいことが理解されるべきである。
【００２８】
第一の外側インサート４２が、上部プレート３４と、第一、第二、および第三の内側下部プレートアーム３８D、E、Fの間に提供される別のフットウェア１０の態様を図４に示す。同様に、第二の内側インサート４４が、上部プレート３４と、第一、第二、および第三の外側下部プレートアーム３８A、B、Cの間に提供される。外側インサート４２および内側インサート４４は、例えば、エアブラダ、エラストマー、または、フォーム材料より形成されていてもよく、ソール組立体１４に追加の支えおよび緩衝作用を提供するように働く。
【００２９】
上部プレート３４が、ソール組立体１４の前足部分１６の前部分中に配置される第一の前部分３４A、前部分３４Aのやや後方に間隔をあけ且つソール組立体１４の前足部分１６の中央部分に配置される第二の中央部分３４B、および、中央部分３４Bよりやや後方に間隔をあけ且つソール組立体１４の前足部分１６の後端部分に配置される第三の後端部分３４Cより形成される、フットウェア１０の態様が図４に示される。外側下部プレートアーム３８A、３８B、および３８Cは、各々、上部プレート３４の前部分３４A、中央部分３４B、および後端部分３４Cから延びている。内側下部プレートアーム３８D、３８E、および３８Fは、各々、上部プレート３４の前部分３４A、中央部分３４B、および後端部分３４Cから延びている。上部プレート３４が、３つの分離した別個の部分より形成され、下部プレートアームを伴う、このような態様においては、フットウェア１０の前足部分１６はより容易に曲がり、且つ屈曲し、それによりフットウェア１０の快適さおよび柔軟性を増幅する。
【００３０】
ある態様では、図３に示すように、上部プレート３４および下部プレートアーム３８A〜Eは一体構造である。他の態様では、図６に示すように、上部プレートおよび下部プレートアーム３８A〜Eは、接着剤またはその他の好適な固定手段により、互いに固定された分離した要素であり得る。
【００３１】
別の態様を図７に示す。この態様では、上部プレート３４は、複数の上部プレートアーム４６を含み、下部プレート３６は、複数の下部プレートアーム４８を含む。この態様では、下部プレートアーム４８は、下部プレートアーム４８が上部プレート３４に関して実質的に凸状であるように、上部プレート３４から外向き且つ下方へ曲がる。上部プレートアーム４６および下部プレートアーム４８は、下部プレートアーム４８の上にいずれの上部プレートアーム４６も配置されないよう、またその逆も同じとなるよう、互いに対して食い違うかまたはずれている。
【００３２】
図示される態様において、ミッドソール２６は、上部プレート３４の上に配置された第一部分２６A、および、下部プレートアーム４８の下に配置された第二部分２６Bを含む。この態様において、第二部分２６Bが、隣接する下部プレートアーム４８の間で切り取られていることが見て取れる。さらに、この態様では、上部プレートアーム４６および下部プレートアーム４８は、実質的に、ソール組立体１４の全長に亘って延びている。上部プレートアーム４６および下部プレートアーム４８が、ソール組立体１４に沿ったいずれの位置にでも配置され得ることが理解されるべきである。
【００３３】
上部および下部プレートアームが、性能および快適さを最適化するために改変され得ることが理解されるべきである。アームの材料、厚さ、屈曲度、長さ、およびその他の任意の幾何構造の態様は、その性能を変えるように変更できる。例えば、ある態様では、図７に示されるように、第一のリブ５０は、各下部プレートアーム４８の上部表面に沿って延びており、第二のリブ５２は、各上部プレートアーム４６の下部表面に沿って延びている。ある態様では、第一のリブ５０が、全てではないが、１つまたは複数の下部プレートアーム４８について提供されていてよく、第二のリブ５２が、全てではないが、１つまたは複数の上部プレートアーム４６について提供されていてもよいことが理解されるべきである。
【００３４】
図７に図示される態様が、図９において示されるように、上部プレート３４が、上部プレートアーム４６および下部プレートアーム４８の両方に共通であるように構築され得ることが理解されるべきである。このような態様において、上部プレート３４は、代替的に単にプレートと呼ぶことができ、上部プレートアーム４６および下部プレートアーム４８は、各々、代替的に上部アームおよび下部アームと呼ぶことができる。図７および９に示されるように、上部および下部アーム４６、４８は、蝶型の様式でプレートから上方および下方に互い違いに曲がっている。
【００３５】
一点を除いて図７に示された態様と似た別の態様が図８に示される。図８の態様では、ミッドソール２６Bの下部分２６Bは、隣接する下部プレートアーム48との間が切り取られておらず、むしろ、ソール組立体１４の長さに沿って連続したミッドソールである。
【００３６】
曲げられた状態で予め屈曲されたソール組立体１４のアームのバネ様作用は、フットウェア１０の使用中に使用者が方向転換し、鋭く曲がるのを助け、それにより、使用者の推進力を改善する。アームの湾曲は、フットウェア１０の使用中に遭遇するストレスを緩和するのを助ける。ソール組立体１４のアームは、不均一な表面上を走るための独立したサスペンションを提供し、独立した要素が不均一な地形に適用するため、より安定した足の履き心地を提供する。
【００３７】
上部プレート３４を単にプレート３４と呼び、代替的に上部プレートアーム４６および下部プレートアーム４８を各々、上部アーム４６および下部アーム４８と呼ぶことができる別の態様を、図１０に示す。プレート３４は、上部アーム４６および下部アーム４８のそれぞれが連結された背骨５４を含む。上部アーム４６は、背骨５４から外向き且つ上向きに延びており、下部アーム４８は、背骨５４から外向き且つ下向きに延びている。図７に示す態様のものの様に、上部アーム４６および下部アーム４８は、プレート３４の外側２２および内側２４に沿って互い違いに配置されている。
【００３８】
背骨５４は、上から見た場合に曲がっている前後軸Lを有する。ある態様では、背骨５４の前後軸Lは複合曲線形状を有する。即ち、多数の方向に曲がっている。
【００３９】
ある態様では、プレート３４の外側２２上の少なくとも１つの上部アーム４６'は、プレート３４の内側２４上の対応する下部アーム４８'から外側に向き合っている。ある態様では、プレート３４の内側２４上の少なくとも１つの上部アーム４６''は、プレート３４の外側２２上の対応する下部アーム４８''から外側に向き合っている。
【００４０】
本発明の前述の開示および多様な態様についての記載を勘案すれば、本技術分野における当業者は、本発明の範囲および精神から離れることなく種々の改変および適合を行い得ることを容易に理解するであろう。そのような改変および適合の全てが、添付の特許請求の範囲により包含されることが意図される。
【図１】
2016512134.tif 000004
【図２】
2016512134.tif 000005
【図３】
2016512134.tif 000006
【図４】
2016512134.tif 000007
【図５】
2016512134.tif 000008
【図６】
2016512134.tif 000009
【図７】
2016512134.tif 000010
【図８】
2016512134.tif 000011
【図９】
2016512134.tif 000012
【図１０】
2016512134.tif 000013
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
アッパー；
アッパーの下に配置されるアウトソール；および
アッパーとアウトソールの間に配置されており、かつ、上から見た場合に曲がっている前後軸を有する背骨と、背骨から外向き且つ上方に延びている複数の上部アームと、背骨から外向き且つ下方に延びている複数の下部アームとを含む、プレート
を組み合わせて含む、フットウェア物品。
【請求項２】
上から見た場合に、背骨の前後軸が複合曲線形状を有する、請求項１記載のフットウェア物品。
【請求項３】
プレートの外側の少なくとも１つの上部アームが、プレートの内側の対応する下部アームと横方向に対向している、請求項１記載のフットウェア物品。
【請求項４】
プレートの内側の少なくとも１つの上部アームが、プレートの外側の対応する下部アームと横方向に対向している、請求項１記載のフットウェア物品。
【請求項５】
プレートが、フットウェア物品の実質的に全長にわたって延びている、請求項１記載のフットウェア物品。
【請求項６】
プレートの外側および内側に沿って、上部アームおよび下部アームが互いに交互になっている、請求項１記載のフットウェア物品。
【請求項７】
プレートがガラス入りナイロンから形成されている、請求項１記載のフットウェア物品。
【請求項８】
アッパー；
アッパーの下に配置されるアウトソール；および
アッパーとアウトソールの間に配置され、かつ、上から見た場合に複合曲線形状を有する前後軸を有する背骨と、背骨から外向き且つ上方に延びている複数の上部アームと、背骨から外向き且つ下方に延びている複数の下部アームとを含む、プレート
を組み合わせて含み、
上部アームおよび下部アームが、プレートの外側および内側に沿って交互に配置されている、フットウェア物品。
【請求項９】
プレートの外側の少なくとも１つの上部アームが、プレートの内側の対応する下部アームと横方向に対向している、請求項８記載のフットウェア物品。
【請求項１０】
プレートの内側の少なくとも１つの上部アームが、プレートの外側の対応する下部アームと横方向に対向している、請求項８記載のフットウェア物品。
【請求項１１】
プレートが、フットウェア物品の実質的に全長にわたって延びている、請求項８記載のフットウェア物品。
【請求項１２】
プレートがガラス入りナイロンから形成されている、請求項８記載のフットウェア物品。
【手続補正２】
【補正対象書類名】明細書
【補正対象項目名】００１１
【補正方法】変更
【補正の内容】
【００１１】
[本発明1001]
アッパー；
アッパーの下に配置されるアウトソール；および
アッパーとアウトソールの間に配置されており、かつ、上から見た場合に曲がっている前後軸を有する背骨と、背骨から外向き且つ上方に延びている複数の上部アームと、背骨から外向き且つ下方に延びている複数の下部アームとを含む、プレート
を組み合わせて含む、フットウェア物品。
[本発明1002]
上から見た場合に、背骨の前後軸が複合曲線形状を有する、本発明1001のフットウェア物品。
[本発明1003]
プレートの外側の少なくとも1つの上部アームが、プレートの内側の対応する下部アームと横方向に対向している、本発明1001のフットウェア物品。
[本発明1004]
プレートの内側の少なくとも1つの上部アームが、プレートの外側の対応する下部アームと横方向に対向している、本発明1001のフットウェア物品。
[本発明1005]
プレートが、フットウェア物品の実質的に全長にわたって延びている、本発明1001のフットウェア物品。
[本発明1006]
プレートの外側および内側に沿って、上部アームおよび下部アームが互いに交互になっている、本発明1001のフットウェア物品。
[本発明1007]
プレートがガラス入りナイロンから形成されている、本発明1001のフットウェア物品。
[本発明1008]
アッパー；
アッパーの下に配置されるアウトソール；および
アッパーとアウトソールの間に配置され、かつ、上から見た場合に複合曲線形状を有する前後軸を有する背骨と、背骨から外向き且つ上方に延びている複数の上部アームと、背骨から外向き且つ下方に延びている複数の下部アームとを含む、プレート
を組み合わせて含み、
上部アームおよび下部アームが、プレートの外側および内側に沿って交互に配置されている、フットウェア物品。
[本発明1009]
プレートの外側の少なくとも1つの上部アームが、プレートの内側の対応する下部アームと横方向に対向している、本発明1008のフットウェア物品。
[本発明1010]
プレートの内側の少なくとも1つの上部アームが、プレートの外側の対応する下部アームと横方向に対向している、本発明1008のフットウェア物品。
[本発明1011]
プレートが、フットウェア物品の実質的に全長にわたって延びている、本発明1008のフットウェア物品。
[本発明1012]
プレートがガラス入りナイロンから形成されている、本発明1008のフットウェア物品。
本明細書中に開示されるこれらおよび追加の特性および利点は、以下のある態様ついての詳細な開示からさらに理解されるであろう。
【国際調査報告】
2016512134.tif 000014
2016512134.tif 000015
2016512134.tif 000016
2016512134.tif 000017
2016512134.tif 000018